(57)【特許請求の範囲】
【請求項１】
商品を包装して配送させるための包装体であって、
前記商品を包装するためのものであり、基材上に接着部材を介して表示部材が形成される包装基部と、
配送のために前記包装基部の表示部材と分離線により一体的に形成されるもので、当該表示部材上に形成される配送元に関する固有情報と共に配送のための固有情報が一括に形成され、少なくとも一部が当該表示部材及び前記基材に対して分離自在に形成される伝票部と、
を有することを特徴とする包装体。
【請求項２】
請求項１記載の包装体であって、前記基材における前記接着部材が形成される面の反対面に、前記商品に接着させるための粘着部材を介して剥離紙が形成されることを特徴とする包装体。
【請求項３】
請求項１記載の包装体であって、前記基材における前記接着部材が形成される面の反対面に前記商品に接着させるための粘着部材が形成されると共に、前記表示部材及び伝票部上に当該粘着部材による粘着を抑制する剥離部材が形成されることを特徴とする包装体。
【請求項４】
請求項１〜３の少なくとも何れかに記載の包装体であって、前記包装基部及び伝票部上に、表示情報が一括に形成されることを特徴とする包装体。
【請求項５】
請求項４記載の包装体であって、前記伝票部上に、配送に必要な固有情報が、前記表示情報と共に、または当該表示情報と別工程で形成されることを特徴とする包装体。
【請求項６】
商品を包装して配送させるための前記請求項１〜５の少なくとも何れかに記載の包装体が連続されて形成されていることを特徴とする連続包装体。
【発明の詳細な説明】
【０００１】
【発明の属する技術分野】
本発明は、商品を包装して配送する際に使用される包装体及び連続包装体に関する。
【０００２】
【従来の技術】
近年、商品販売に関して当該商品を包装することはもちろん、所定場所に配送することも一つのサービス形態となっているが、商品包装と商品配送とは別業務であることから、当該包装を行った商品に対して配送のための伝票を貼付するという作業が必要となる。そのため、包装から配送のための伝票処理に関する一元性と作業負担の軽減が望まれている。
【０００３】
従来、商品の包装、配送に関して百貨店における作業業務の一例を示すと、まず、商品購入者が自宅または進物用として配送を希望する場合、当該商品希望者が配送申込書に所定事項を記入する。配送は、当該百貨店が独自で配送業務を行う場合と外部の配送業者に委託する場合とがあり、何れにしても商品を包装した後に当該包装体上に上記配送申込書等を貼り付け、これが配送現場に持ち込まれるものである。
【０００４】
【発明が解決しようとする課題】
しかしながら、購入された商品を配送するにあたり、商品包装のための包装体は予め印刷によって所定枚数用意されており、この包装体による商品包装から配送伝票の貼り付けまでの作業は定型化されており、業務の効率向上を図ることが困難であると共に、当該包装体や配送伝票の作製等における諸費用の削減を図ることが困難であるという問題がある。
【０００５】
そこで、本発明は上記課題に鑑みなされたもので、商品の包装から配送状態に至らせるまでの業務作業の向上を図り、諸費用の削減を図る包装体及び連続包装体を提供することを目的とする。
【０００６】
【課題を解決するための手段】
上記課題を解決するために、請求項１の発明では、商品を包装して配送させるための包装体であって、前記商品を包装するためのものであり、基材上に接着部材を介して表示部材が形成される包装基部と、配送のために前記包装基部の表示部材と分離線により一体的に形成されるもので、当該表示部材上に形成される配送元に関する固有情報と共に配送のための固有情報が一括に形成され、少なくとも一部が当該表示部材及び前記基材に対して分離自在に形成される伝票部と、を有する構成とする。
【０００７】
請求項２，３の発明では、「前記基材における前記接着部材が形成される面の反対面に、前記商品に接着させるための粘着部材を介して剥離紙が形成される」構成であり、
「前記基材における前記接着部材が形成される面の反対面に前記商品に接着させるための粘着部材が形成されると共に、前記表示部材及び伝票部上に当該粘着部材による粘着を抑制する剥離部材が形成される」構成である。
【０００８】
請求項４及び５の発明では、「前記包装基部及び伝票部上に、表示情報が一括に形成される」構成であり、
「前記伝票部上に、配送に必要な固有情報が、前記表示情報と共に、または当該表示情報と別工程で形成される」構成である。
【０００９】
請求項６の発明では、商品を包装して配送させるための前記請求項１〜５の少なくとも何れかに記載の包装体が連続されて形成されて連続包装体を構成する。
【００１０】
このように、商品を包装するための包装基部を構成する表示部材に配送のための伝票部が分離線により一体的に形成されると共に、当該表示部材上に形成される配送元に関する固有情報と共に配送のための固有情報が一括に形成される。すなわち、包装基部と伝票部が一体的であることから、商品の包装から配送状態に至らせるまでの業務作業の向上が図られ、これらの少なくとも作製のための諸費用の削減が図られるものである。また、基材に形成される粘着部材により商品に接着させることで容易に包装が可能となり、剥離紙、剥離部材が積み重ねや重ね巻きによるブロッキングを防止することが可能となるものである。
【００１１】
【発明の実施の形態】
以下、本発明の好ましい実施形態を図により説明する。ここで示す実施形態は、例えば百貨店で購入された商品を包装し、これを所定場所に配送させるのに適用させた場合を示したものであるが、これに限らず産地直送の商品配送等、包装がなされて配送される総てに適用することができるものである。
【００１２】
図１に、本発明に係る包装体の構成図を示す。図１において、包装体１１は、商品を包装して配送させるためのものであって、包装基部１２と、これと一体的に形成された伝票部１３とにより構成される。包装基部１２は、商品を包装するためのものであって、ここでは簡易包装用として示してある。また、包装基部１２上には対応の百貨店に関する名称、商標、標章、ロゴマーク等の固有情報が形成される。
【００１３】
上記伝票部１３は、配送のために上記包装基部１２と一体的に形成されるもので、少なくとも一部が当該包装基部１２と分離自在に形成される。すなわち、伝票部１３は、例えば貼付票１４と配達票１５とより構成され、少なくとも配達票１５が剥離可能に分離自在とされる。この貼付票１４と配達票１５とには配送のための固有情報を表示させるための百貨店特有の、または各百貨店共通の定型形式の表示欄が表示情報として形成される。
【００１４】
例えば、貼付票１４及び配達票１５には、お届け予定日などの日付欄２１Ａ，２１Ｂ、配送地点（例えば配送拠点の地域）を示す着点コード欄２２Ａ，２２Ｂ、お届け先欄２３Ａ，２３Ｂ、ご依頼主欄２４Ａ，２４Ｂ、品名欄２５Ａ，２５Ｂなどが表示情報として形成され、配達票１５には特有のものとして受領印欄２６、剥離させるための情報などが表示情報として形成される。
【００１５】
そして、これら包装体基部１２及び各欄に、該当の百貨店を示すための固有情報や、配送のための固有情報が形成されると共に、配送情報となる固有情報としてのバーコード２７Ａ，２７Ｂが形成される。この場合、上記各表示情報、各固有情報（バーコード２７Ａ，２７Ｂを含む）は、一括で印刷、印字により形成させてもよく、各表示情報と各固有情報を別工程で印刷、印字して形成させてもよい。すなわち、包装基部１２と伝票部１３の作製は、作製時のフォーマットで少なくとも表示情報を印刷、印字で形成させることで構成させるものである。
【００１６】
なお、伝票部１３は、上記貼付票１４及び配達票１５の他に、当該包装体１１が商品に対して包装されたことを確認するための出荷票や、該当の商品をピッキングするための作業票等を包装基部１２に対して分離自在に設けてもよい。
【００１７】
ここで、図２に、本発明の包装体の構造の説明図を示す。図２（Ａ）は構成拡大断面図、図２（Ｂ）は配達票１５を分離自在とした説明図である。図２（Ａ）において、包装基部１２は基材３１上に接着部材３２を介して表示部材３３が形成されるもので、当該表示部材３３と一体的に伝票部１３が形成され、少なくとも配達票１５が当該表示部材３３に対して分離自在で、基材３１に対して剥離可能に分離自在に接着される。そのため、少なくとも配達票１５の周囲に分離線３４が形成される。この分離線３４は、例えば基材３１上に単一の用紙を接着させ、伝票部１３の少なくもと配達票１５とさせるべく刃型等により形成される。
【００１８】
接着部材３２は、上記配達票１５を基材３１に対して剥離自在とするために、例えば天然ゴムラテックス系の粘着力の強い組成物に粘着力調整剤としてシリカ等の充てん剤を充填したものである。ここでは、基材３１の全面に上記接着部材３２を塗布させていることから、貼付票１４をも剥離自在となるが、同図破線で示す分離線３５を形成することにより、当該商品を受領した者が剥離させて例えば履歴情報として所持することが可能となる。
【００１９】
なお、配達票１５のみをさらに分離し易くする場合には、全面に上記接着剤を塗布し、当該配達票１５が配置される部分の接着部材上に所定情報を印刷し、または当該配達票１５の裏面に所定情報を印刷することで粘着力調整を行うことが可能となり、当該配達票１５を分離し易くすることができる。また、別の方法として、配達票１５が配置される部分に上記組成物の接着剤を用い、他の部分を粘着力の強い接着剤を用いることもできる。
【００２０】
一方、接着部材３２として、上記接着剤の他に、例えば擬似接着した２層のフィルムの両面に接着力の強い粘着剤を塗布させたものでも使用可能である。これは、粘着剤で上記基材３１と表示部材３３とを接着し、配達票１５に対応する部分の当該フィルム同士を剥離させることで当該配達票１５を分離させることができる。
【００２１】
上記のように剥離自在の接着部材３２を用いることで、図２（Ｂ）に示すように、当該商品を配送したときに受領印をもらい、「ここからはがして下さい」という表示部分より剥がすことによって、当該包装体１１より配達票１５を分離できるものである。
【００２２】
そこで、図３に本発明の包装体の使用形態の説明図を示すと共に、図４に本発明に係る包装体の他の使用形態の説明図を示す。図３（Ａ）において、包装体１１を構成する基材３１における接着部材３２が形成される面の反対面に、商品に接着させるための粘着部材４１を介して剥離紙４２が形成されたものである。また、図３（Ｂ）において、包装体１１を構成する基材３１における接着部材３２が形成される面の反対面に商品に接着させるための粘着部材４１が形成されると共に、表示部材３３及び伝票部１４，１５上に当該粘着部材４１による粘着を抑制する剥離部材４３が形成されたものである。
【００２３】
上記の図３（Ａ）、（Ｂ）に示す包装体１１とすることで、保管時または運搬時に各包装体１１同士を重ね合わせてもブロッキングを防止することができ、また、これら各包装体１１を後述のように連続させてロール状やゼット折り重ねとしてもブロッキングを防止することができるものである。
【００２４】
そして、図３（Ａ）に示す包装体１１を使用する際には、該当の百貨店を示すための固有情報や上記配送のための固有情報を形成させた後に剥離紙４２を剥離し、また図３（Ｂ）に示す包装体１１を使用する際にはそのままで上記固有情報を形成させた後、図３（Ｃ）に示すように、粘着部材４１により商品５１に接着させることで包装することができるものである。すなわち、当該包装体１１を商品５１に包装すると同時に配送のための伝票部１３（貼付票１４、配達票１５）が貼り付けられた状態と同様になり、配送後は配達票１５が分離可能となるものである。
【００２５】
また、上記包装体１１を図３（Ｃ）に示すように簡易包装するための大きさで示したが、商品５１全体を包装できる大きさで形成させてもよい。さらには、図４に示すように袋状に形成させる場合にも適用させることができるものである。これらの場合、上記粘着部材４１を形成させてもよいが、形成させない方が好適である。
【００２６】
続いて、図５に本発明に係る包装体における表示形態の一例の説明図を示す。図５は上記包装体１１の配達票１５を剥離して分離した状態を示したもので、当該配達票１５を分離したときに表れる表示状態の一例を示したものである。すなわち、図５（Ａ）〜（Ｃ）に示すように、上記配達票１５が分離されたときに、例えば上記貼付票１４のご依頼主欄２４Ａに対応する位置に「様よりのお中元です」を表示させたり、また「お中元」、「○○デパートがお届けします」などの表示や、贈り主からのメッセージなどの表示を、上記基材３１上の対応位置に形成させておくものである。これらによって、上記配達票１５を分離したときに種々の情報を表示させることができるものである。また、図５（Ｃ）に示すように包装基部１２（表示部材３３）上に「お中元」や贈り主からのメッセージなどを適宜表示させてもよい。
【００２７】
このように、包装体１１の構成を、商品を包装するための包装基部１２と配送のための伝票部１３が一体的に形成され、かつ当該伝票部１３の少なくとも配達票１５が剥離して分離自在に形成されることから、包装基部１２と伝票部１３が一体的であって、商品の包装から配送状態に至らせるまでの業務作業の向上が図られ、これらの少なくとも作製のための諸費用を削減することができるものである。
【００２８】
次に、図６に、本発明に係る連続包装体の一例の説明図を示す。図６（Ａ）において、連続包装体６１は、単一の上記包装体１１がその側部で連結された状態で所定数連続されたもので、当該包装体１１の上下部分にそれぞれ搬送孔６２が所定数形成されたマージナル部６３Ａ，６３Ｂが設けられたものである。そして、各包装体１１が上記図３（Ａ）に示すように粘着部材４１を介して剥離紙４２が一体的に形成され、または、図３（Ｂ）に示すように粘着部材４１及び剥離剤４３が形成されて、図６（Ｂ）に示すようにロール状に巻回されたものである。
【００２９】
上記連続包装体６１は、上記表示情報、固有情報が形成される前の接着部材３２及び粘着部材４１（適宜剥離紙４２及び剥離剤４３が形成される）が形成された状態、または、上記表示情報のみが形成された状態、または、表示情報及び固有情報が形成された状態の何れかの状態で上記ロール状に巻回されるものである。
【００３０】
このような連続包装体６１は、各包装体１１を構成させるべく、上述のように少なくとも上記表示情報を形成させることで構成させるもので、これを連続して形成させることにより各包装体１１が連続したものとして構成される。すなわち、このように構成させることで、ブロッキングを防止しつつ、包装体１１を所定数連続して作製することができるものである。
【００３１】
なお、図６において、上記搬送孔６２が形成されたマージナル部６３Ａ，６３Ｂが各包装体１１の上下部分に設けられた場合を示しているが、当該各包装体１１の両側部分に設けてもよい。また、搬送孔６２が形成されたマージナル部６３Ａ，６３Ｂは、印刷、印字の際に搬送をガイドするために設けられるものであり、印刷、印字を行う装置によっては設けなくともよい。また、印刷、印字の際には、図３（Ａ）に示す連続包装体６１を上記のようにロール状に巻回させた場合を示したが、例えばゼット折り状に積み重ねた状態としてもよい。
【００３２】
このように、各包装体１１を連続させた連続包装体６１を構成することにより、上記同様に、包装作製から配送状態に至らせるまでの業務作業の向上が図られ、これらの少なくとも作製のための諸費用を削減することができるものである。
【００３３】
なお、上記実施形態は百貨店における商品の包装、配送に適用させた場合を示したが、上述のように産地直送の商品配送等、包装がなされて配送される総てに適用することができるものである。
【００３４】
【発明の効果】
以上のように、請求項１及び６の発明によれば、包装体の構成を、商品を包装するための包装基部を構成する表示部材に配送のための伝票部が分離線により一体的に形成されると共に、当該表示部材上に形成される配送元に関する固有情報と共に配送のための固有情報が一括に形成され、かつ当該伝票部の少なくとも一部を当該包装基部の表示部材及び基材に対して分離自在に形成させ、この包装体を連続させて連続包装体を構成させることにより、包装基部と伝票部が一体的であって、商品の包装から配送状態に至らせるまでの業務作業の向上を図ることができ、これらの少なくとも作製のための諸費用を削減することができるものである。
【００３５】
請求項２及び３の発明によれば、基材に粘着部材を形成させ、剥離紙または剥離部材を形成させることにより、粘着部材で容易に包装を可能とすることができ、剥離紙、剥離部材が積み重ねや重ね巻きによるブロッキングを防止することができるものである。
【００３６】
請求項４及び５の発明によれば、伝票部上に表示情報を一括に形成させ、包装基部及び伝票部上に固有情報を表示情報と共に、または別工程で形成させることにより、これらを少なくとも作製するための諸費用を削減することができるものである。
【図面の簡単な説明】
【図１】本発明に係る包装体の構成図である。
【図２】本発明の包装体の構造を示した説明図である。
【図３】本発明の包装体の使用形態を示した説明図である。
【図４】本発明に係る包装体の他の使用形態を示した説明図である。
【図５】本発明に係る包装体における表示形態の一例の説明図である。
【図６】本発明に係る連続包装体の一例の説明図である。
【符号の説明】
１１                包装体
１２                包装基部
１３                伝票部
１４                貼付票
１５                配達票
３１                基材
３２                接着部材
３３                表示部材
４１                粘着部材
４２                剥離紙
４３                剥離部材
５１                商品
６１                連続包装体
【図１】
0004674934.tif 000002
【図２】
0004674934.tif 000003
【図３】
0004674934.tif 000004
【図４】
0004674934.tif 000005
【図５】
0004674934.tif 000006
【図６】
0004674934.tif 000007